(57)【要約】【課題】  下側に軒樋を設置すると共に、様々な勾配の屋根に対応した落葉除けカバーを取り付けることができる軒樋吊具を提供する。【解決手段】  建物１に取り付けられて、下側に軒樋２が取り付けられる吊具本体３と、吊具本体３から上側に突出して設けた支持体４とを有してなり、支持体４に落葉除けカバー５を取り付けるための被結合部６を設けた軒樋吊具において、落葉除けカバー５がその勾配が異なって取り付けられる複数の被結合部６を支持体４の上端に軒先に沿う方向に並べて段違いに設け、複数の被結合部６から落葉除けカバー５を取り付ける被結合部６を選択し、この被結合部６よりも高い位置にある被結合部６を切り取り除去して、前記選択した被結合部６に落葉除けカバー５を取り付けるようになしたことを特徴とする軒樋吊具。【選択図】図２
2006144262.tif 000002
【特許請求の範囲】
【請求項１】
建物に取り付けられて、下側に軒樋が取り付けられる吊具本体と、吊具本体から上側に突出して設けた支持体とを有してなり、支持体に落葉除けカバーを取り付けるための被結合部を設けた軒樋吊具において、落葉除けカバーがその勾配が異なって取り付けられる複数の被結合部を支持体の上端に軒先に沿う方向に並べて段違いに設け、複数の被結合部から落葉除けカバーを取り付ける被結合部を選択し、この被結合部よりも高い位置にある被結合部を切り取り除去して、前記選択した被結合部に落葉除けカバーを取り付けるようになしたことを特徴とする軒樋吊具。
【請求項２】
支持体が吊具本体の中ほどから鉛直方向に突出しており、支持体の上端に最も取り付け位置の低い被結合部を設け、支持体の側部に設けた接続部を介して、前記被結合部よりも次に高い位置に被結合部を設けており、接続部で切断することにより被結合部が切り取り除去されるようになしたことを特徴とする請求項１記載の軒樋吊具。
【請求項３】
被結合部が支持体から屋根側及びそれと反対側に突出して屋根側に高い勾配をもった板状であり、取り付け位置の高い被結合部ほど勾配が大きくなっていることを特徴とする請求項１又は２記載の軒樋吊具。
【発明の詳細な説明】
【技術分野】
【０００１】
本願発明は、下側に軒樋を取り付けるとともに、軒樋の上面開口に落葉除けカバーを取り付けることができる軒樋吊具に関するものである。
【背景技術】
【０００２】
従来より、特開平１０−１８３９０６号公報に示す如く、建物に取り付けられた軒樋の上方には、落葉や雪の堆積を防ぐために落葉除けカバーが取り付けられている。例えば、図３に示す如く、軒樋２を下側に取り付けることができる吊具本体３と、吊具本体３から上側に突出して設けた支持体４を有してなり、支持体４の上端に落葉除けカバー５を取り付けるための被結合部６を備えた軒樋吊具を用いて、建物１に軒樋２と落葉除けカバー５を取り付けている。
【０００３】
しかしながら、屋根３３には様々な勾配や形状をしたものがあり、それにあった落葉除けカバー５を取り付けるためには、軒樋吊具を屋根３３の勾配や形状に合わせて個別に設計、製造しなくてはならなかった。
【０００４】
一方、特開２０００−２４０２３２号公報に示す如く、支持具３４の支持脚３５に切断可能部３６を設け、ここで支持脚３５を切断することで、落葉除けカバー５の設置高さを調節可能とした落葉除けカバー５の支持体構造が知られている（図４に図示）。しかしながらこの場合、支持具３４は雨樋吊具と一体には設けられておらず、軒樋２に乗せられているだけで不安定であり、施工時にも雨樋吊具の取り付けに加え、支持具３４の取り付け工程が必要となる。又、落葉除けカバー５の高さ方向の調節は可能であるが、落葉除けカバー５が水平に取り付けられているため、落葉除けカバー５には落葉や雪が堆積しやすく、うまく地面に落下しにくかった。
【特許文献１】特開平１０−１８３９０６号公報
【特許文献２】特開２０００−２４０２３２号公報
【発明の開示】
【発明が解決しようとする課題】
【０００５】
本願発明は、上記背景技術に鑑みて発明されたものであり、その課題は、下側に軒樋を設置すると共に、様々な勾配の屋根に対応した落葉除けカバーを取り付けることができる軒樋吊具を提供することである。
【課題を解決するための手段】
【０００６】
上記課題を解決するために、本願発明は、建物に取り付けられて、下側に軒樋が取り付けられる吊具本体と、吊具本体から上側に突出して設けた支持体とを有してなり、支持体に落葉除けカバーを取り付けるための被結合部を設けた軒樋吊具において、落葉除けカバーがその勾配が異なって取り付けられる複数の被結合部を支持体の上端に軒先に沿う方向に並べて段違いに設け、複数の被結合部から落葉除けカバーを取り付ける被結合部を選択し、この被結合部よりも高い位置にある被結合部を切り取り除去して、前記選択した被結合部に落葉除けカバーを取り付けるようになしたことを特徴とする軒樋吊具である。
【発明の効果】
【０００７】
本願発明の軒樋吊具においては、落葉除けカバーがその勾配が異なって取り付けられる複数の被結合部を設けているため、複数の被結合部の中から軒樋を取り付ける建物の屋根の勾配や屋根の出に合った被結合部を選択して落葉除けカバーを取り付けることができ、様々な形状の屋根であっても一種類の軒樋吊具で対応することができる。
【発明を実施するための最良の形態】
【０００８】
図１は、本願の請求項１〜３に対応した実施形態である軒樋吊具を、図２にはその取付構造を示している。この実施形態の軒樋吊具は、建物１に取り付けられて、下側に軒樋２が取り付けられる吊具本体３と、吊具本体３から上側に突出して設けた支持体４とを有してなり、支持体４に落葉除けカバー５を取り付けるための被結合部６を設けた軒樋吊具において、落葉除けカバー５がその勾配が異なって取り付けられる複数の被結合部６を支持体４の上端に軒先に沿う方向に並べて段違いに設け、複数の被結合部６から落葉除けカバー５を取り付ける被結合部６を選択し、この被結合部６よりも高い位置にある被結合部６を切り取り除去して、前記選択した被結合部６に落葉除けカバー５を取り付けるようにしている。
【０００９】
又、支持体４が吊具本体３の中ほどから鉛直方向に突出しており、支持体４の上端に最も取り付け位置の低い被結合部６を設け、支持体４の側部に設けた接続部７を介して、前記被結合部６よりも高い位置に次の被結合部６を設けており、接続部７で切断することにより被結合部６を切り取ることができるようにしている。
【００１０】
又、被結合部６が支持体４から屋根側及びそれと反対側に突出した屋根側に高い勾配をもった板状であり、取り付け位置の高い被結合部６ほど勾配が大きくなっている。
【００１１】
以下、この実施形態の軒樋吊具を、より具体的詳細に説明する。この実施形態の軒樋吊具は、ポリカーボネート等の合成樹脂で一体に形成されており、軒樋吊具を建物１に取り付けるための板状の取付部８の前面から、保持部９が前面側に向かって下に傾斜して設けられている。又、取付部８の周囲には、軒樋吊具を建物１に取り付けるときに使用する釘を通すための取付孔１０が左右対称に設けられている。保持部９の下側には、水平に吊具本体３が前後方向に長く設けられている。吊具本体３の前端からは、上下方向に伸びた連結部１１が設けられている。又、連結部１１の上端から後方に向かって上に傾斜した挿差部１２が設けられている。又、連結部１１の吊具本体３の対面からは、側面視が略三角形の支え部１３が突出して設けられている。吊具本体３の後方下側には、側面視が略三角形の突出部１４が設けられており、突出部１４の後端から後方上側に向かって固定片１５が突出して設けられている。
【００１２】
吊具本体３の中ほどから、支持体４が鉛直方向に突出して設けられており、支持体４は、建物１に軒樋吊具を取り付けたときの軒先方向に幅広くなった板状である。支持体４の上端には前後方向に突出して後方に高い勾配をもった板状の被結合部６が設けられており、この被結合部６は、支持体４より後方に突出した被係止部１６と、前方に突出した被固定部１７の係着片１９とからなっている。被係止部１６は後方上側に突出しており、被固定部１７は横断面略Ｌ字で前方に突出した弾性片１８と弾性片１８の上端から前方下側に突出して設けられた係着片１９とからなっている。又、被係止部１６と係着片１９は同じ傾斜になるように設けられている。
【００１３】
又、軒樋吊具には被結合部６が複数設けられており、図１には被結合部６を２つ設けた場合を図示している。支持体４の側部から接続部７を介して支持体４と同形状の接続支持体２０が設けられており、接続支持体２０の上端には支持体４上端と同様に被結合部６が設けられている。被接続支持部２０の上端に設けられた被結合部６は、支持体４の上端に設けられたものよりも取り付け位置が高くなっている。又、被結合部６は、支持体４の上端に設けたものより被接続支持部２０の上端に設けたものの方がその勾配が大きくなっている。この場合、支持体４の上端の被結合部６ａは４寸勾配に対応して傾斜Ｐが４寸勾配であり、接続支持体２０の上端の被結合部６ｂは６寸勾配に対応して傾斜Ｑが６寸勾配である。被接続支持部２０は、接続部７を縦方向に横切る切断線Ｘで切断することにより、切り取り除去できる。又、支持体４、連結部１１、保持体９、接続支持体２０及び接続部７にはリブ２１が形成されている。
【００１４】
図２には、この実施形態の軒樋吊具を建物１に取り付け、軒樋２及び落葉除けカバー５を取り付けた状態を示している。軒樋吊具の吊具本体３の下方には、塩化ビニル被覆鋼鉄板等で作成されて、底部２２と上端に断面略Ｕ字の嵌合部２３を備えた前壁面部２４と、上端に断面略四角形の差込部２５を備えた後壁部２６とからなる断面略Ｕ字状の軒樋２を取り付けることができる。軒樋吊具は、挿差部１２と固定片１５にそれぞれ、軒樋２の嵌合部２３と差込部２５とを嵌合することで、軒樋２を取り付けることができるようになっている。
【００１５】
又、軒樋吊具の被結合部６には、軒樋２と同様の素材で作成され、後端に前方開口のコ字型後壁部２７を設けたカバー後耳部２８と前端に後方開口のコ字型の固定部２９を設けたカバー前耳部３０とを備えてなる板状の落葉除けカバー５を取り付けることができる。軒樋吊具の被係止部１６と係着片１９にそれぞれ、落葉除けカバー５の後壁部２７と固定部２９とを嵌合することで落葉除けカバー５を取り付けることができるようになっている。
【００１６】
図２（ａ）には、この実施形態の軒樋吊具を６寸勾配屋根３１の建物１に取り付けた例を図示している。軒樋吊具は、建物１の壁面に取付部８を介して取り付けられている。この場合、接続支持体２０上端の被結合部６ｂが６寸勾配に対応しているので、この被結合部６ｂに落葉除けカバー５を取り付けている。又、軒樋吊具の下方には軒樋２が取り付けられている。軒樋吊具の建物１への取り付け位置は、６寸勾配屋根３１の上面よりも落葉除けカバー５の上面が下になる位置に取り付けられている。この場合、鉛直方向上方から見て、落葉除けカバー５と６寸勾配屋根３１の前後方向に隙間がないような位置に落葉除けカバー５を設けているが、落葉除けカバー５が軒樋２をほぼ覆っており、落葉除けカバー５の前方に軒樋２との隙間があり、この隙間から６寸勾配屋根３１から流れてきた雨水が軒樋２で受けられるようになっていればよく、落葉除けカバー５と６寸勾配屋根３１の前後方向の隙間は設けても設けなくてもよい。
【００１７】
図２（ｂ）には、この実施形態の軒樋吊具を４寸勾配屋根３２の建物１に取り付けた例を図示している。この場合、軒樋吊具の支持体４上端の被結合部６ａが４寸勾配に対応しているため、のこぎりやカッターなどの刃物を用いて軒樋吊具を図１（ｂ）に図示した切断線Ｘで切断して接続支持体２０と被結合部６ｂを除去し、残った被結合部６ａに落葉除けカバー５を取り付けている。なおそれ以外については、６寸勾配屋根３１の建物１の場合と同様である。
【００１８】
従って、この実施形態の軒樋吊具においては、落葉除けカバー５を軒樋２の上方に設けているために、軒樋２に落葉、雪やほこりなどが堆積するのを防ぐことができる。又、落葉除けカバー５がその勾配が異なって取り付けられる複数の被結合部６を設けているため、一種類の軒樋吊具で様々な勾配や形状の屋根に対応でき、従来例のように、屋根の勾配や形状に合わせた軒樋吊具を個別にに設計、製造する必要がなくなる。又、複数の被結合部６から落葉除けカバー５を取り付ける被結合部６を選択して施工するときも、施工時に軒樋吊具の選択した被結合部６を残して切断線Ｘで切断して不必要な被結合部６を除去するだけでよく、非常に簡便である。又、これら複数の被結合部６を軒先に沿う方向に設けているため、どの被結合部６を選択しても軒樋２と落葉除けカバー５の前後方向の位置が一定となり、軒樋２と落葉除けカバー５との雨水が流れ込むための空間が常に一定の間隔で確保される。又これにより、どの被結合部６を選択しても軒樋吊具に対して落葉除けカバー５の前後方向の取り付け位置が一定となるために落葉除けカバー５の重心が一定に保たれ、選択した被結合部６によって軒樋吊具の取付部８にかかる荷重が変化することがなく、選択した被結合部６によって軒樋吊具が建物１から取れやすくなるなるようなことはない。又、これら複数の被結合部６を段違いに設けているため、選択した被結合部６よりも高い位置にある被結合部６を切り取り除去することで、前記選択した被結合部６が最も高くなり、容易に落葉除けカバー５を取り付けることができる。
【００１９】
又、支持体４の上端に最も取り付け位置の低い被結合部６を設け、支持体４の側部に設けた接続部７を介して、前記被結合部６よりも高い位置に次の被結合部６を設けているため、選択した被結合部６の支持体４とは反対側側面の切断線Ｘで切断することで、軒樋吊具において選択した被結合部６が最も高い位置の被結合部６となるため、落葉除けカバー５が取り付けやすく、又、軒樋吊具に残った選択していない被結合部６が、選択した被結合部６よりも低い位置にあるため、選択した被結合部６に落葉除けカバー５を取り付ける際に邪魔にならない。又これにより、被結合部６が複数あっても、接続部７を一ヶ所だけ切断すれば落葉除けカバー５を取り付けるのに邪魔な被結合部６を複数個まとめて除去できる。
【００２０】
又、被結合部６が取り付け位置の高い被結合部６ほど勾配が大きくなっているため、いずれの勾配の被結合部６に落葉除けカバー５を取り付けた場合でも、落葉除けカバー５と軒樋２との間隔が一定になる。従って、高い位置に勾配の低い被結合部６を設けたために落葉除けカバー５と軒樋２との間隔が開きすぎ、落葉除けカバー５上面を流れ落ちた雨水が軒樋２でうまく受けられなかったり、逆に低い位置に勾配の高い被結合部６を設けたために落葉除けカバー５と軒樋２の間がなくなり、軒樋２に落葉や雪が堆積してしまうことを防ぐことができる。
【図面の簡単な説明】
【００２１】
【図１】本願発明の実施形態である軒樋吊具の（ａ）は側面図、（ｂ）は背面図。
【図２】同軒樋吊具を用いて、建物に軒樋と落葉除けカバーを取り付けた断面図で、（ａ）は６寸勾配屋根のとき、（ｂ）は４寸勾配屋根のとき。
【図３】従来例である軒樋吊具を用いて、建物に軒樋と落葉除けカバーを取り付けたときの断面図。
【図４】別の従来例である落葉除けカバーの支持構造の断面図。
【符号の説明】
【００２２】
１  建物
２  軒樋
３  吊具本体
４  支持体
５  落葉除けカバー
６  被結合部
６ａ低い被結合部
６ｂ高い被結合部
７  接続部
【図１】
2006144262.tif 000003
【図２】
2006144262.tif 000004
【図３】
2006144262.tif 000005
【図４】
2006144262.tif 000006